(57)【要約】【課題】一枚の連続した用紙から成り、例えばダイレクトメール等に用いられる貼り合わせ封書において、別構造の収納ケースなどを用いることなく、比較的大きな物品をも収納することができる低コストの封書を提供することにある。【解決手段】連続する複数の紙片から成る用紙を折り畳み、紙片間に物品を収納して、折り畳み状態で重なり合う紙片の周縁部を貼着して成る封書において、紙片１１の物品２０との当接部位の周囲に溝Ｇ、突起Ｐ、段差Ｓなどを型押しする。【選択図】図１
2014151921.tif 000002
【特許請求の範囲】
【請求項１】
折り線を介して連続する複数の紙片を備えた用紙を上記折り線から折り畳み、紙片間に物品を収納すると共に、折り畳み状態で重なり合う紙片の周縁部を貼着して成る封書であって、
上記紙片のうち、少なくとも折り畳み状態において上記物品に当接する一方の紙片には、物品との当接部位の周囲に、溝、突起又は段差が型押しされていることを特徴とする物品入り封書。
【請求項２】
上記紙片の周縁部における貼着部分の内側に、切り取り用のミシン目が形成されていることを特徴とする請求項１に記載の物品入り封書。
【請求項３】
折畳み状態で重なり合う紙片の周縁部が剥離可能に貼着されていることを特徴とする請求項１に記載の物品入り封書。
【請求項４】
上記物品が商品サンプルであることを特徴とする請求項１〜３のいずれか１つの項に記載の物品入り封書。
【請求項５】
上記物品が宣伝用の音声及び／又は映像を記録したＣＤ又はＤＶＤであることを特徴とする請求項１〜３のいずれか１つの項に記載の物品入り封書。
【請求項６】
上記物品が小冊子であることを特徴とする請求項１〜３のいずれか１つの項に記載の物品入り封書。
【請求項７】
ダイレクトメールであることを特徴とする請求項１〜５のいずれか１つの項に記載の物品入り封書。
【発明の詳細な説明】
【技術分野】
【０００１】
本発明は、商品やサービスに関する説明や宣伝用のパンフレットなどとして、路上や盛り場などで配布したり、ダイレクトメールとして、企業や一般家庭などに配送したりするのに好適な封書に係わり、特に、商品サンプルや宣伝用のＣＤやＤＶＤ、無料配布する景品や粗品、小冊子等を同封することができる封書に関するものである。
【背景技術】
【０００２】
商品や各種サービスに関する説明などを記載した文書を顧客や、新たな顧客開発のために、一般の会社や個人宛に直接送付する種々のダイレクトメールが宣伝や販売促進に広く利用されている。また、このような文書を繁華街の路上や盛り場などで手渡しすることも行われている。
このようなダイレクトメールや路上配布に用いられる封書には、商品サンプルや、宣伝用の映像や音声を記録したＣＤやＤＶＤなどといった品物を同封することも行われており（特許文献１，２参照）、これによって、受取人の興味を高めることができ、開封されることなく捨てられてしまう危険性が減少し、宣伝効果が向上するものと考えられる。
【先行技術文献】
【特許文献】
【０００３】
【特許文献１】実開平０７−２３５７０号公報
【特許文献２】特開平１０−３２９８６７号公報
【発明の概要】
【発明が解決しようとする課題】
【０００４】
すなわち、特許文献１には、印刷用紙を二つ折りにして、重なり合う紙面の周縁部を接着してなる封書の宛名書面に内部が透視可能な窓部を形成する一方、この窓部に対向する紙面に商品見本を貼り付けて固定した貼り合わせ封筒が開示されている。
しかし、このような貼り合わせ封筒においては、上記商品見本は、小型のものに限定され、肉厚のあるものや、薄型であってもサイズが大きなものの場合には、用紙の変形が大きくなるため、封筒の貼り合わせが難しくなって、接着部に皺が生じ、接着強度が得られなかったり、用紙が破損したりするという問題点があった。
【０００５】
これに対して、特許文献２には、商品サンプルや小物商品等の物品を収納して送付するための郵便物用突出ケースが開示されている。当該ケースは、例えば透明樹脂製のものであって、郵便物の一部をなす第１シート部と、窓状の切り抜き部を有して第１シート部に重ね合わされる第２シート部の間に、上記切り抜き部から突出した状態に固定されるようになっている。
このような突出ケースを用いることによって、厚みやサイズの大きなサンプルであっても、用紙が変形したり、破損したりすることは避けられるものの、異種材料から成る部品の点数が増し、材料コストが嵩むと共に、組み立ての自動化が難しく、製造コストの増加が避けられないという問題があった。
【０００６】
本発明は、商品サンプル等の物品を同封し、ダイレクトメールなどとして用いられる封書における上記のような課題に着目してなされたものである。そして、その目的とするところは、一枚の連続した用紙から成るものであって、別構造の収納ケースなどを用いることなく、比較的大きな物品をも収納することができる低コストの封書を提供することにある。
【課題を解決するための手段】
【０００７】
本発明者らは、上記目的の達成に向けて鋭意検討を重ねた結果、封書を構成する紙片における収納物品との当接部の周囲に、溝や段差を予め形成しておくことによって、物品収納に起因する用紙の歪みが周縁部に波及するのを防止することができることを見出し、本発明を完成するに至った。
【０００８】
すなわち、本発明は上記知見に基づくものであって、本発明の物品入り封書は、折り線を介して連続する複数の紙片を備えた用紙を上記折り線から折り畳み、紙片間に物品を収納すると共に、折り畳み状態で重なり合う紙片の周縁部を貼着して成るものであって、上記紙片のうち、少なくとも折り畳み状態において上記物品に当接する一方の紙片には、物品との当接部位の周囲に溝、突起又は段差が型押しされていることを特徴としている。
【０００９】
本発明の物品入り封書の好適形態としては、上記紙片の周縁部における貼着部分の内側に、切り取り用のミシン目を形成することができる。
また、折り畳み状態で重なり合う紙片の周縁部を剥離可能に貼着するようになすこともできる。
【００１０】
本発明のさらなる好適形態としては、上記物品として、商品サンプルや、宣伝用のＣＤやＤＶＤ、小冊子を収納することができ、本発明の上記物品入り封書は、ダイレクトメールとして好適に用いることができる。
【発明の効果】
【００１１】
本発明によれば、封書を構成する紙片における収納物品との当接部の周囲に、溝や突起、あるいは段差が型押しされているので、物品が収納されることによって生ずる用紙の歪み（変形）が上記した溝や段差によって遮断され、紙片周縁の貼着部にまで及ばなくなる。したがって、比較的大型の物品を収納したとしても、皺のない平面状態での貼着が可能になって、紙片が剥がれたり、破れたりするのを防止することができる。
【図面の簡単な説明】
【００１２】
【図１】（ａ）〜（ｅ）は本発明の物品入り封書の紙片に型押しされる溝や突起、段差の形状例を示す断面図である。
【図２】本発明の物品入り封書の作製手順の一例を説明する概略工程図である。
【図３】本発明の第１の実施例に係る物品入り封書に用いる用紙の表面及び内面をそれぞれ示す平面図（ａ）及び背面図（ｂ）である。
【図４】（ｃ）ないし（ｆ）は本発明の第１の実施例に係る物品入り封書の作製手順を示す工程図である。
【図５】（ａ）ないし（ｃ）は本発明の第２の実施例に係る物品入り封書に用いる用紙形状及び当該封書の作製手順を示す工程図である。
【図６】（ｄ）ないし（ｆ）は図５に続く物品入り封書の作製手順を説明する工程図である。
【発明を実施するための形態】
【００１３】
以下、本発明の物品入り封書の実施形態などについて、さらに詳細に説明する。
【００１４】
本発明の物品入り封書は、上記したように、封書を構成する紙片における収納物品との当接部の周囲に、溝や突起又は段差が型押しされている。したがって、比較的大型の物品を収納したとしても、これによって生ずる用紙の歪みが型押しされた溝や段差によって吸収されることにより、用紙の変形が紙片周縁の貼着部にまで及ばなくなり、紙片周縁部を平面状態で高強度に貼着することができ、紙片が破れたり、貼着部分が剥がれたりする不具合を回避することができる。
【００１５】
このような物品入り封書は、商品や事業、イベントなどの宣伝、広告のためのパンフレットを、商品サンプルや小冊子（例えば、カタログ）、ＣＤやＤＶＤなどの品物と共に、ダイレクトメールとして送付したり、路上やイベント会場などで配布したりするのに好適に用いられる。
【００１６】
そして、これを受け取った人には、その厚みや重さから、物品が収納されていることを認識させることができ、封入物に対する興味を高めて、開封されることなく、そのまま捨てられてしまうような事態を避けることができ、宣伝効果を高めることができる。
また、当該封書は、収納物品を除けば、一枚の用紙のみから成るものであって、しかも、用紙への印刷、切断、型押し、物品封入、折り畳み、貼着、宛名印字といった一連の工程を自動化することが可能であり、手作業による書類や物品の封筒への収納作業が省力化され、製造コストを低減し、スピード化を図ることができる。
【００１７】
本発明の物品入り封書は、封書を構成する紙片の少なくとも一枚に、物品との当接部位の周囲に溝や突起、段差などの形状が型押しされたものであるが、このような溝や段差などの型押し形状としては、物品収納に起因する用紙の歪みを吸収する機能を発揮する限り特に限定されない。例えば、図１（ａ）〜（ｄ）の断面図に示すようなものを採用することができる。
【００１８】
すなわち、紙片１１に溝Ｇを形成することができる。このような溝Ｇは、図１（ａ）に示すように、仮想線で示す物品２０との当接部位を取り囲むように形成される。また、図１（ｂ）に示すように、溝Ｇに替えて突起Ｐを型押しすることもできる。ただし、このような突起Ｐは、裏面側から見れば溝に相当し、図１（ａ）に示した溝Ｇと実質的に変わらないと言うこともできる。さらには、図１（ｃ）に示すような段差Ｓを採用することができる。このような段差は、図１（ｄ）に示すように二重（さらには３重）構造の段差とすることもできる。
なお、上記は、物品２０に当接する紙片の一方（紙片１１）のみに溝Ｇや段差Ｓを型押しした例を示したが、図１（ｅ）に示すように、紙片１１と紙片１２の両方にけいせいすることも可能である。
【００１９】
本発明の物品入り封書において、折り畳み状態で重なり合う紙片の周縁部を貼着するための接着剤としては、剥がれることがないように高強度に貼着することができる通常の接着剤ばかりでなく、一旦貼着したのち、紙片が破れることなく剥離することができる低強度の接着剤が用いられる。
そして、通常の高強度接着剤を用いる場合には、貼着部分の内側に、開封（切り取り）用のミシン目を形成しておくことが必要となる。一方、剥離可能な低強度の接着剤を使用すれば、このようなミシン目を形成することなく、当該封書の開封が可能になり、開封することによって、紙屑が生じることもなくなる。
【００２０】
本発明の物品入り封書において、紙片間に収納される品物としては、種々のものが考えられるが、商品サンプルとしては、調味料、健康食品、嗜好品、洗剤、医薬品、化粧品などの試供品を同封することができる。このとき、紙片周縁部の貼着に際して熱や圧力が加わらないようにすれば、上記のようなものでも変質したり、包装が破れて内容物が漏れ出したりするような不都合を防止することができる。
この他には、企業説明や商品説明の音声や画像データ、あるいはサンプルのデジタルコンテンツなどを収納した、ＣＤやＤＶＤなどを同封することが考えられる。さらに、商品カタログや、企業説明、商品説明を記載した小冊子を収納することも可能である。
【００２１】
このとき、当該封書の表面側、あるいは裏面側となる紙片には、必要に応じて小さな開口部を設け、この開口部を通して、上記物品の一部が視認できるようにすることも望ましく、これによって、受け取った人による収納物に対する興味をさらに高めて、開封の動機を与えることができる。
【００２２】
本発明の物品入り封書は、図２に示すような手順によって製作することができ、自動化によるコスト低減に対応することができる。
すなわち、先ず、印刷用原紙を所定サイズに裁断し、得られた用紙に所定の印刷を施す。なお、このとき、用紙の大きさによっては、先に原紙に複数面の印刷を施した後に、所定の用紙サイズに裁断するようになすこともできる。
【００２３】
次の型抜き工程においては、印刷が施された用紙の所定位置に、溝や突起、段差などの型押しを施すと共に、用紙の紙片間の折り線部分に、筋押しあるいはミシン目を施して、後工程の折り畳みが容易になるようにする。
また、紙片周縁部を高強度接着剤によって剥離不能に貼着する場合には、貼着部分の内周側に、切り取り用のミシン目を形成する。
【００２４】
次いで、紙片の周縁部と共に、物品の収納部分に当該物品を固定するための接着剤を塗布する。このとき、接着剤はノズルから所定の位置に噴射させることによって塗布したり、ローラーに設けた所定形状の塗布型に含ませた接着剤を紙片に押し当てることによって、紙片の所定位置に転写したりすることができる。
なお、接着剤は、用紙の印刷工程において、印刷法によって先に塗布して、乾燥させておき、折り畳み状態で熱圧着するようになすことも可能である。また、物品の収納部分に塗布する接着剤としては、仮貼着用の低強度接着剤でも差し支えない。
【００２５】
そして、物品固定用に塗布した接着剤の上に、物品を載置したのち、用紙に形成された筋押しやミシン目による折り線から折り畳み、この状態で重なり合う紙片の周縁部、すなわち接着剤の塗布部分を貼着することによって、本発明の物品入り封書が完成する。
このときの貼着は、例えば、折り畳み状態の用紙をその幅寸法より若干小さい間隔に配置された２対の加圧ローラの間に通すことによって、当該用紙の長辺側周縁部を先ず貼着する。そして、この後、当該用紙を９０°回転させて（あるいは用紙の進行方向を９０°変えて）、用紙をその長さ方向寸法より若干小さい間隔を隔てて配置された２対の加圧ローラの間に通すことによって、当該用紙の平行する短辺側周縁部を貼着するようになすことができる。
【実施例】
【００２６】
（実施例１）
図３及び図４は、本発明に係わる物品入り封書の第１の実施例として、ＰＲ用のＣＤ−ＲＯＭを同封したダイレクトメールに用いられる封書の製造手順を説明するものであって、図３（ａ）は、当該実施例に係わる封書に用いる用紙１０の折り畳み前の一面側（外面となる側）を示す平面図、図３（ｂ）はその裏面側（内面となる側）を示す背面図である。
【００２７】
図に示す用紙１０は、印刷用原紙を所定サイズ、この実施例では、所定の印刷を施した用紙を略Ａ３サイズに裁断したものである。そして、当該用紙１０は、紙片１１及び１２が折り線１０ａを介して連続した形状を備え、各紙片の両面には、このダイレクトメールの目的に応じた記事、例えば、商品のＰＲや、同封する物品に関する説明などが印刷されている。なお、用紙１０の大きさは、上記したように、ほぼＡ３サイズであり、第１及び第２の紙片１１及び１２は、ほぼＡ４サイズということになる。
用紙１０の中央には、上記折り線１０ａに重ねて筋押しが施されており、後述する用紙１０の折り畳みに際して、当該折り線１０ａの部分で確実に折り曲がるようにしてある。
【００２８】
図３（ａ）に示すように、第１の紙片１１の外側紙面１１ａは、宛名書き面となる紙面であって、当該紙面１１ａの左上方には、料金後納郵便である旨の表示がなされ、配送先の住所、氏名、郵便番号などの記入欄となっている。また、この第１の紙片１１の周縁部のうち、折り線１０ａの側を除く３辺の内側には、開封用の切り取り線となるミシン目Ｃが形成してある。
そして、第１の紙片１１のほぼ中央部は、物品２０の収納予定位置となっており、当該位置には、この物品よりやや大きな矩形状に、その外側紙面１１ａの側から見て、図１（ａ）に示したような溝Ｇが型押しされている。
【００２９】
一方、第２の紙片１２は、所定の記事が印刷されていること以外は、特別な加工が施されていない平面状のものであるが、その内側紙面１２ｂの上下及び左側周縁部（図３（ｂ）参照）には、第１の紙片１１の周縁部（ミシン目Ｃの外側部分）と貼着するための接着剤の塗布予定位置となっている。また、内側紙面１２ｂの中央部にも、物品２０を仮止めするための接着剤が塗布されるようになっている。
なお、第１の紙片１１に外側紙面１１ａの側から型押しされた溝Ｇは、裏面側に突出し、内側紙面１１ｂにおいては突起Ｐとなっているが、混乱を避けるため、これ以降「溝Ｇ」に統一して説明することにする。
【００３０】
このような用紙１０を用いて、物品入り封書を作製するに際しては、まず、図４（ｃ）に示すように、用紙１０の内面側を上に向けた状態で、第２の紙片１２の内側紙面１２ｂの上下及び左側周縁部に高強度接着剤Ａ１を塗布すると共に、当該紙面１２ｂの中央部における物品収納部に、物品２０を一時的に固定するための低強度接着剤Ａ２を塗布する。
【００３１】
次いで、図４（ｄ）に示すように、紙面１２ｂに塗布した低強度接着剤Ａ２の上に、この実施例では、物品２０として、商品ＰＲ用のＣＤ−ＲＯＭを封筒に収納した状態で載置し、紙面１２ｂの中央部に仮固定する。このＣＤは、開封後に受取人によって、紙片１２から取り外されるものであるからして、高強度に接着する必要はない。
【００３２】
次に、図４（ｅ）に示すように、第１の紙片１１を折り線１０ａから折り曲げ、この紙片１１を紙片１２の上に折り重ね、用紙１０を二つ折りに折り畳む。
そして、折り畳み状態の用紙１０を、当該用紙１０の幅寸法、及び長さ寸法に応じて離間する２対の加圧ローラーの間をそれぞれ通過させることによって、両紙片１１，１２の周縁部を高強度接着剤Ａ１によって剥離不能に貼着する。これによって、図４（ｆ）に示すようなダイレクトメール用の物品入り封書１が完成する。
【００３３】
このような物品入り封書１の周縁部の貼着に際しては、第１の紙片１１に溝Ｇが形成されていることによって、物品２０を収納したことによる紙片１１の変形が溝Ｇによって遮断される。したがって、物品２０との当接部位における紙片１１の膨らみが外縁部の貼着位置まで伝わらなくなり、皺や隙間のない平面状態での貼着が可能になり、ダイレクトメールとしての美観が損なわれたり、配送途中で紙片同士が剥がれたりするような不具合を防止することができる。
【００３４】
このような物品（ＣＤ）が収納されたダイレクトメールを受け取った側では、その厚みや重さ、型押し形状などから、内部に物品が収納されていることを認識することができ、ミシン目から開封することによって、ＣＤを容易に取り出すことができる。
なお、この実施例においては、第１の紙片１１のみに溝Ｇを型押しした例を示したが、必要に応じて、第２の紙片１２における物品２０との当接部位の周囲に、同様の溝や段差などを設けることもでき、より大型物品の収納に対応することができる。
【００３５】
（実施例２）
図５及び図６は、本発明に係わる物品入り封書の第２の実施例として、同じくＰＲ用のＣＤ−ＲＯＭを同封したダイレクトメール用の封書であって、３枚の紙片を用いることによって情報量を増した物品入り封書の製造手順を説明するものである。
図５（ａ）は当該実施例に係わる物品入り封書に用いる用紙の折り畳み前の一面側（外面となる側）を示す平面図、図５（ｂ）はその裏面側（内面となる側）を示す背面図である。
【００３６】
図に示す用紙３０は、第１の実施例における各紙片１１、１２とほぼ同じサイズの３枚の紙片３１、３２及び３３が折り線３０ａ及び３０ｂを介して連続した形状を備え、各紙片の両面には、このダイレクトメールの内容に応じて、商品や同封する物品に関する説明などが印刷されている。
用紙３０の上記折り線３０ａ、３０ｂには、上記した第１の実施例と同様に、それぞれに重ねて筋押しが施されており、用紙３０の折り畳みに際して、これら折り線からの折り畳みがし易くなるようにしてある。なお、筋押しの代わりにミシン目を形成することもできる。
【００３７】
第１及び第２の紙片３１及び３２は、所定の記事が印刷されている他は、特に加工のない平面状のものである。
【００３８】
一方、第３の紙片３３は、その外側紙面２２ａが宛名書き面となっており、当該紙面３３ａには、図５（ａ）に示すように、例えば料金後納郵便である旨の表示があり、配送先の住所、氏名、郵便番号などが記入できるようになっている。
そして、第３の紙片３３における内側紙面３３ｂのほぼ中央部は、物品２０の当接位置となっており、当該部位には、この物品よりやや大きな矩形状に、凹部（外側紙面３３ａから見れば凸部）が型押しされており、図１（ｃ）に示したような形状の段差Ｓが形成されている。
【００３９】
上記用紙３０を用いて、ダイレクトメール用の物品入り封書を作製するに際しては、まず、図５（ｃ）に示すように、第２の紙片３２の内側紙面３２ｂの上下周縁部と、第３の紙片３３の内側紙面３３ｂの上下及び左側周縁部に、低強度（剥離性）接着剤Ａ２を塗布する。
そして、第１の紙片を折り線３０ａから折り曲げて、当該紙片３１を第２の紙片３２の上に折り重ねる。
【００４０】
次に、図６（ｄ）に示すように、紙片３２の上に折り重ねた紙片３１の紙面３１ａのほぼ中央部に、低強度接着剤Ａ２を塗布し、この上に、商品ＰＲ用のＣＤ−ＲＯＭを封筒に収納した状態で載置し、当該物品２０を紙面３１ａのほぼ中央部の所定位置に仮固定する。
【００４１】
そして、図６（ｅ）に示すように、第３の紙片３１を折り線３０ａから折り曲げ、この紙片３１を紙片３１の上に折り重ねる。
ついで、このように折り畳まれた用紙３０を実施例１と同様の加圧ローラーの間を通過させることによって、紙片３１、３２及び３３の周縁部を剥離可能に貼着する。これによって、図６（ｆ）に示すように、ダイレクトメール用の物品入り封書３が完成する。
【００４２】
このとき、上記物品２０が段差Ｓによって形成された紙片３３の凹部内に完全に収納されなくても、このような段差Ｓによって、物品２０による紙片１１の変形が遮断され、変形が外縁部の貼着位置まで伝わらなくなることから、平面状態での貼着が可能になる。
したがって、上記実施例１と同様に、美観が損なわれたり、配送途中で紙片同士が剥がれたりするような不具合を防止することができる。
【００４３】
このようなダイレクトメールを受け取った側では、その厚みや重さ、段差形状などから、内部に物品が収納されていることを認識することができ、剥離性接着剤による貼着部分を剥がすことによって容易に開封することができ、収納されたＣＤを取り出すことができる。
【符号の説明】
【００４４】
１、３  物品入り封書
１０、３０  用紙
１１、１２、３１、３２、３３  紙片
１０ａ、３０ａ、３０ｂ  折り線
２０  物品
Ｇ  溝
Ｐ  突起
Ｓ  段差
Ｃ  ミシン目
【図１】
2014151921.tif 000003
【図２】
2014151921.tif 000004
【図３】
2014151921.tif 000005
【図４】
2014151921.tif 000006
【図５】
2014151921.tif 000007
【図６】
2014151921.tif 000008